(57)【特許請求の範囲】
【請求項１】
吸気口から内部に吸い込んだ空気を浄化して排気口から吹き出すようにした本体と、該本体を床面に対して支持する着脱自在な脚部とを備えた空気清浄機において、前記本体の底面に係合凹部を形成すると共に、前記脚部の上面には該係合凹部と嵌合する係合突部を突出し、該係合突部の外側面には、外方へ弾性を有する弾性片を形成すると共に該弾性片に、前記係合凹部に形成した係止穴に弾性係合する爪を形成し、前記係合突部が係合凹部に嵌合した状態において前記弾性片の下部を係合凹部よりはみ出させて、このはみ出た部分を本体の一側面側から内方へ押すことで前記係止穴と爪の係合を解除する解除手段とし、前記本体の底面には、前記脚部を取り外した状態でも床面に対し設置可能とする設置手段を設けたことを特徴とする空気清浄機。
【請求項２】
前記設置手段は前記本体の底面に設けられたリブであることを特徴とする請求項１に記載の空気清浄機。
【請求項３】
前記解除手段である弾性片の下部には、滑り止めを形成してなる請求項１又は請求項２に記載の空気清浄機。
【請求項４】
前記解除手段は、前記本体もしくは脚部の前記一面側を壁面に当接させた時に、壁面に当接しない位置に設けられていることを特徴とする請求項１乃至請求項３のいずれかに記載の空気清浄機。
【請求項５】
前記係合突部と係合凹部は夫々脚部と本体底面の複数箇所に形成されていることを特徴とする請求項１乃至請求項４のいずれかに記載の空気清浄機。
【発明の詳細な説明】
【０００１】
【発明の属する技術分野】
本発明は床面設置用の脚部を備えた空気清浄機に関するものである。
【０００２】
【従来の技術】
従来の空気清浄機として、床面に置いた場合に、室内に浮遊するタバコの煙等を効率よく吸い込むことができるように、本体の下部に、脚部を装着して本体を床面よりできるだけ高く位置させたものが知られている。
【０００３】
このものは床面設置用としては効果があるものの、脚部を取り外した状態では設置できないので、設置場所自体が最初から高い位置にあるテーブル等に設置して使用する場合につては脚部がかえって邪魔になってしまっていた。
【０００４】
【発明が解決しようとする課題】
そこで、本発明は、床置用として使用する空気清浄機をテーブルなど他の場所に置いても設置できると共にこれらの設置場所に適した形態に容易にすることができる空気清浄機を提供することを目的とする。
【０００５】
【課題を解決するための手段】
課題を解決するための手段は、吸気口から内部に吸い込んだ空気を浄化して排気口から吹き出すようにした本体と、この本体を床面に対して支持する着脱自在な脚部とを備えた空気清浄機において、前記本体の底面に係合凹部を形成すると共に、前記脚部の上面には該係合凹部と嵌合する係合突部を突出し、該係合突部の外側面には、外方へ弾性を有する弾性片を形成すると共に該弾性片に、前記係合凹部に形成した係止穴に弾性係合する爪を形成し、前記係合突部が係合凹部に嵌合した状態において前記弾性片の下部を係合凹部よりはみ出させて、このはみ出た部分を本体の一側面側から内方へ押すことで前記係止穴と爪の係合を解除する解除手段とし、前記本体の底面には、前記脚部を取り外した状態でも床面に対し設置可能とする設置手段を設けたものである。
【０００６】
これにより、床面に設置するときには脚部を使用して高い位置にて効率よい空気の浄化ができると共に、床面より高い設置場所であるテーブル等に設置する場合には脚部を取り外した状態で設置することができる。また  脚部を床面に置いた状態で、上方より本体を脚部上に載置することで、本体に脚部を装着することができると共に、解除手段となる弾性片の下部を内側へ押すことにより、係合凹部と係合突部の係合状態を容易に解除して、本体を上方に持ち上げることで脚部を本体から取り外すことができる。
【０００７】
また、前記設置手段は前記本体の底面に設けられたリブである。
【０００８】
これにより、脚部を使用しない場合に、本体の底面全体が設置面に接することがなくリブ先端が接するので、本体を安定した状態で設置することができる。
【０００９】
また、前記解除手段である弾性片の下部には、滑り止めを形成したものである。
【００１０】
これにより、解除手段を指で押す際に滑ることなく、係合突部と係合凹部の係合をより容易に解除することができる。
【００１１】
前記解除手段は、前記本体もしくは脚部の一面側を壁面に当接させた時に、壁面に当接しない位置に設けられていることが望ましい。
【００１２】
これにより、壁面に沿うように設置した場合等に、壁面に衝突するなどしても本体と脚部との係合状態が誤って解除されることを防止できる。
【００１３】
前記係合突部と係合凹部は複数箇所に形成されていることが望ましい。
【００１４】
これにより、一箇所の係合突部と係合凹部との係合が解除されても、他の箇所で係合されているので本体が不用意に外れるのを防止することができる。
【００１５】
【発明の実施の形態】
本発明の実施の形態を図１乃至図５に示し、これらの図に基づき説明する。
【００１６】
空気清浄機本体１（以後簡略化のため本体と呼ぶ）は、図１に示すように、全面にグリル（格子）状の吸気口２が形成された前カバー３と、上面にグリル状の排気口４が形成された後カバー５と、前面に操作表示部６が形成された上ケース７とで外郭が形成されており、前面カバー３は側面のクランプボタン３ａを押すことで取り外せるようになっている。
【００１７】
前記本体１内部にはファンケース８が設けられており、吸気口２から排気口４に至る送風路を形成する。このファンケース８の吸気口側には、吸気口２から吸い込まれた空気が通過するフィルターユニット９が着脱自在に設けられると共に、ファンケース８の排気口４側に、シロッコファン１０とシロッコファン１０を回転させるモータ１１が設けられている。
【００１８】
上ケース７内には、マイクロコンピュータ等から成る制御部が搭載された制御基盤１２が取り付けられており、操作表示部６が接続されて、モータ１１等を制御するようになっている。操作表示部６の一角には、室内空気中の煙や還元性ガス等による空気汚れを検知するための例えば半導体ガスセンサ等で構成された汚れセンサ１３や、赤外線等のリモコン信号を受信するリモコン受信部１４が設けられており、空気の汚れ度合い等に応じた自動運転や図示しないリモコンからの遠隔操作運転等が可能となっている。
【００１９】
この空気清浄機を使用する場合は、操作表示部６あるいは図示しないリモコンを操作することにより、上ケース７内の制御基盤１２上に搭載された制御部が働き、運転を開始する。運転を開始すると、モータ１１が駆動されてシロッコファン１０が回転し、周囲空気は吸気口２から本体１内に吸い込まれ、フィルターユニット９により粉塵及び煙草の煙や臭い等が濾過脱臭され、後カバー５上面の排気口４から清浄化された空気が排出される。
【００２０】
前記本体１の底面１ｃには、環状のリブ１５が形成されており、本体１を直接設置面に設置した場合に、本体１は底面１ｃ全面が設置面に接するのではなく、リブ１５の先端が設置面に当接するようになっている。このリブ１５の内側には図２に示すように本体１の後面１ｂ側の左右２カ所に係合凹部１６が形成されている。この係合凹部１６内には、図１に示すように本体１の後面１ｂ側の壁面に係止穴１７が形成されている。
【００２１】
１８は本体１の下部に装着される脚部で、その上面には前記係合凹部１６に嵌合する係合突部１９が２箇所突出している。この係合突部１９にはそれぞれ外方に弾性を有する弾性片２０が形成されており、弾性片２０より突設する爪２１が弾性片２０の弾性力にて係合凹部１６の前記係止穴１７に係止するようになっている。
【００２２】
この弾性片２０の下部には解除手段２２が延設されており、この解除手段２２を本体１の後面１ｂ側から指で押すことで、前記爪２１と係止穴１７との係合状態を解除できるようになっている。解除手段２２には指で押す際の滑り止めとなる凹凸が形成されている。
【００２３】
この解除手段２２は脚部１８の後面及び本体１の後面１ｂより内側に位置しており、脚部１８後面もしくは本体１の後面１ｂを壁面に当接させたときに解除手段２２が壁面に当接しないようになっている。また、解除手段２２は、複数箇所（ここでは２カ所）に形成されているので、一カ所の解除手段２２を操作しても、本体１が脚部１８から外れないようになっている。これにより、より安全性を向上することができる。
【００２４】
上記構成の空気清浄機を床面に設置するときは、脚部１８を床面に置き、本体１を脚部１８に載置することで、弾性片２０を変形させると共に、本体１の係合凹部１６に脚部１８の係合突部１９が挿入され、本体１の前後左右方向の動きが規制される。そして、本体１底面１ｃのリブ１５が脚部１８の上面に当接した時に弾性片２０の弾性力により係合凹部１６の係止穴１７に弾性片２０の爪２１が係合し、本体１の係合凹部１６に脚部１８の係合突部１９が嵌合し、本体１の設置及び脚部１８の装着が完了する。これにより、本体１への脚部１８の装着作業が容易になり、装着作業性を向上することができる。
【００２５】
このようにして床面に設置された空気清浄機は、人の足が当たるなどして本体１を倒そうとする力が働く場合がある。本体１の前面１ａ側に倒れようとする力が働いた場合には、リブ１５の本体１前面１ａ側の部分が脚部１８上面を押圧して、前面１ａ側に本体１が倒れようとするのを阻止する。また、本体１の後面１ｂ側に本体１が倒れようとした場合には、弾性片２０の弾性力に対する反力により、係合凹部１９が係合凹部１６の前面１ａ側の壁面を押圧するので、後面１ｂ側への倒れが阻止される。
【００２６】
床面に置かれた空気清浄機をテーブル等に設置する場合には、本体１の後面１ｂ側より解除手段２２を押すことで、本体１の係止穴１７から脚部１８の爪２１が外れ、本体１と脚部１８との係合状態が解除される。この状態で本体１を上方に引き上げることで、本体１から脚部１８が外れる。
【００２７】
この本体１の底面１ｃには本体１を設置可能とするリブ１５が形成されているので、脚部１８を装着することなく、本体１をリブ１５にて支持して、テーブル等に直接設置することができる。この時、本体１は設置面に本体１の底面１ｃ全面ではなく、リブ１５により支持されるので、安定した状態で設置することができる。また、本体１より脚部１８を着脱自在とすることで、本体１に脚部１８を装着して床面に設置する場合や、脚部１８を取り外した状態で本体１のみをテーブル等に設置する場合を自在に変えることができる。
【００２９】
また、本体１のみを設置する場合に、本体１がその底面１ｃに形成したリブ１５により支持されるようにしたが、これに限定されるものではなく、本体１を支持できる形状であればよい。
【００３０】
また、係合凹部１６を本体１の後面１ｂ側よりに設けたが、本体１の他の任意の面側よりに設け、任意の面側から本体１と脚部１８との係合状態を解除するようにしてもよい。
【００３１】
【発明の効果】
本発明の請求項１によれば、床面に設置するときには脚部を使用して高い位置にて効率よく空気の浄化ができると共に、床面より高い設置場所であるテーブル等に設置する場合には脚部を取り外した状態で設置することができるので、設置形態を多様化することができる。また、脚部の本体への装着時に本体を上方より置くようにすることで脚部を装着でき、装着作業性を向上できると共に、解除手段を本体の一側面側から内方へ押すことにより、本体から脚部を容易に取り外すことができ、床面やテーブル等の設置場所を容易に変えることができる。
【００３２】
本発明の請求項２によれば、脚部を使用しない場合に、本体の底面全体が直接設置面に接することがなく、本体を安定した状態で設置することができる。
【００３３】
本発明の請求項３によれば、解除手段を指で押す際に滑ることなく、係合突部と係合凹部の係合をより容易に解除することができる。
【００３４】
本発明の請求項４によれば、壁面に衝突するなどしても、本体と脚部との係合状態が誤って解除されることを防止できるので、安全に使用することができる。
【００３５】
本発明の請求項５によれば、一箇所の係合突部と係合凹部との係合が解除されても、他の箇所で係合されているので本体が不用意に外れるのを防止することができるので、より安全に使用することができる。
【図面の簡単な説明】
【図１】本願発明の実施の形態を示す空気清浄機の右側断面図である。
【図２】同空気清浄機の本体の底面図である。
【図３】同空気清浄機の脚部の背面図である。
【図４】同空気清浄機の正面図である。
【図５】同空気清浄機の左側面図である。
【符号の説明】
１      空気清浄機本体（本体）
２      吸気口
４      排気口
１５      リブ（設置手段）
１６      係合凹部
１７      係止穴（弾性係合手段）
１８      脚部
１９      係合突部
２０      弾性片（弾性係合手段）
２１      爪（弾性係合手段）
２２      解除手段
【図１】
0003604965.tif 000002
【図２】
0003604965.tif 000003
【図３】
0003604965.tif 000004
【図４】
0003604965.tif 000005
【図５】
0003604965.tif 000006